(57)【要約】      （修正有）【課題】夜間または暗闇で冷光を発し、柔らかな照明、案内灯または表示灯等として使用できる装飾物品を提供する。【解決手段】装飾物品は、蓄光織物部分１０を少なくとも１つ表面に設けた物品本体を含み、この蓄光織物部分は寒色系蓄光繊維または暖色系蓄光繊維を含む複数の蓄光繊維１２から成り、蓄光繊維の吸光特性および蓄光特性により蓄光または発光する。また、この装飾物品は蓄光織物部分により直接構成されたものでもよい。【選択図】図１
0003187527.tif 000002
【実用新案登録請求の範囲】
【請求項１】
複数の蓄光繊維から成る蓄光織物部分を少なくとも１つ設ける物品本体を含み、前記蓄光繊維により蓄光ならびに発光することを特徴とする、
装飾物品。
【請求項２】
前記物品本体は照明カバー、カーテン、スリッパ、取っ手カバー、クッション、電話カバー、カーペット、スイッチカバーまたは装飾品等であることを特徴とする、請求項１に記載の装飾物品。
【請求項３】
前記蓄光織物部分は複数のひだ部を有し、前記ひだ部は前記蓄光繊維から成ることを特徴とする、請求項１に記載の装飾物品。
【請求項４】
前記蓄光織物部分は前記物品本体表面を部分的または全体的に覆うことができることを特徴とする、請求項１または請求項３に記載の装飾物品。
【請求項５】
前記蓄光繊維は暖色系蓄光繊維または寒色系蓄光繊維の中から少なくとも１つを選べることを特徴とする、請求項１に記載の装飾物品。
【請求項６】
複数の蓄光繊維から成る蓄光織物部分を有し、前記蓄光繊維により蓄光ならびに発光することを特徴とする、
装飾物品。
【請求項７】
前記蓄光織物部分を用いて照明カバー、カーテン、スリッパ、取っ手カバー、クッション、電話カバー、カーペット、スイッチカバーまたは装飾品等を製作できることを特徴とする、請求項６に記載の装飾物品。
【請求項８】
前記蓄光織物部分は複数のひだ部を有し、前記ひだ部は前記蓄光繊維から成ることを特徴とする、請求項６に記載の装飾物品。
【請求項９】
前記蓄光繊維は暖色系蓄光繊維または寒色系蓄光繊維の中から少なくとも１つを選べることを特徴とする、請求項６に記載の装飾物品。
【考案の詳細な説明】
【技術分野】
【０００１】
本考案は装飾物品に関するものであり、特に、暗闇または夜間において冷光を発することができる装飾物品に関するものである。
【背景技術】
【０００２】
生活、ビジネス、レジャー等の空間において快適性と利便性のために必要とされる物品には、カーテン、照明、スリッパ、取っ手カバー等があるが、このような日常生活環境において広く使用される多くの装飾物品は、実用的なだけでなく、美観も兼ね備えたものが望まれる。
【０００３】
これらの見た目が良く実用的な装飾物品の実際の使用により、生活品質は良くなるが、夜になると、どんなに美しい物品でも照明の無い環境では、その使用価値が大幅に下がり、あるいは全く役に立たないこともある。
また、夜間は視野が悪く、暗闇を手探りで移動するのは危険であり、通常は部屋の中や廊下などの暗い場所に常夜灯または夜間照明や案内灯等を設置して暗闇での移動や物探しをしやすいようにする。
しかし、常夜灯であろうと夜間照明や案内灯であろうと、使用には電力を要し、長時間に及べば電気代もそれなりにかかる。さらに、環境保護意識が高まっている昨今では、省エネ・ＣＯ2削減はある種のトレンドになり、電力の使用や消耗を有効に低減することは環境保護行為でもある。
【考案の概要】
【考案が解決しようとする課題】
【０００４】
そこで、暗闇や夜間に冷光を発し、従来の電力を要する常夜灯、照明灯または案内灯等を代替し、物が見える明かりを提供する照明である本考案の装飾物品を提案する。
【０００５】
本考案の主な目的は、蓄光繊維の吸光特性および蓄光特性を利用して夜間または暗闇で冷光を発し、柔らかな照明、案内灯または表示灯として使用できる装飾物品を提供することである。
【０００６】
本考案のもう１つの目的は、ひだ部を多く設けたデザインにより、集光効果や蓄光機能を高め、発光時間を延長できる装飾物品を提供することである。
【課題を解決するための手段】
【０００７】
上述の目的を達成するため、本考案の装飾物品は、表面に少なくとも１つの蓄光織物部分を有する物品本体を含み、この蓄光織物部分は複数の蓄光繊維から成り、蓄光繊維により蓄光ならびに発光する。
【０００８】
蓄光織物部分には複数のひだ部を設計し、これらのひだ部も蓄光繊維から成り、前述の目的を達成する。
【０００９】
本考案の異なる実施例によれば、上述の蓄光織物部分は部分的または全体的に物品本体表面を覆うことができる。
【００１０】
また本考案は、物品本体表面に蓄光織物部分を設計するのとは異なる実施形態も提案する。それは、蓄光織物部分により直接装飾物品が構成されたものであり、この蓄光織物部分は複数の蓄光繊維から成り、蓄光繊維によって蓄光効果ならびに発光効果が得られる。
【００１１】
上述の装飾物品または物品本体は照明カバー、カーテン、スリッパ、取っ手カバー、クッション、電話カバー、カーペット、スイッチカバーまたは装飾品等であってもよい。
【考案の効果】
【００１２】
本考案によれば、蓄光繊維の吸光特性および蓄光特性を利用することで、夜間または暗闇で冷光を発し、柔らかな照明、案内灯または表示灯としての使用に有効な装飾物品を提供できる。また、ひだ部を組み合せたデザインにより、集光効果や蓄光機能が高められるので、装飾物品の発光時間が延長され効果が長持ちし、各分野の物品に広く応用でき、非常に実用的で便利なものになる。
【図面の簡単な説明】
【００１３】
【図１】本考案で使用される蓄光織物部分を示す図。
【図２】本考案のより多くのひだ部を有する蓄光織物部分を示す図。
【図３】本考案の実施例のスリッパを示す図。
【図４】本考案の実施例の取っ手カバーを示す図。
【図５】本考案の実施例の照明カバーを示す図。
【図６】本考案の別の実施例の照明カバーを示す図。
【図７】本考案の実施例のクッションを示す図。
【考案を実施するための形態】
【００１４】
本考案の目的、技術内容、利点および達成される効果をさらに容易に理解するため、具体的実施例と図面により以下に詳しく説明する。
【実施例】
【００１５】
蓄光繊維は、充足した光のもとでは、まず十分な光を吸収して蓄えた後、吸収したエネルギーを徐々に緩慢に放出して発光を始めるので、周囲の環境が薄暗くなった時または真っ暗になった時、蓄光繊維は発光状態になり、物が見える範囲の適度な明るさを使用者に提供する。
【００１６】
本考案により提案する装飾物品は物品本体を含み、物品本体には少なくとも１つの蓄光織物部分を設ける、あるいは蓄光織物部分により直接装飾物品を構成する。いかなる物品であっても、使用される蓄光織物部分は複数の蓄光繊維から成り、装飾物品は蓄光繊維の蓄光特性と発光特性を利用して夜間または暗闇で冷光を発する。
この物品本体または蓄光織物部分は当然、照明カバー、カーテン、スリッパ、取っ手カバー、クッション、電話カバー、カーペット、スイッチカバーまたは装飾品等として設計でき、居住環境の美化を可能にするだけでなく、補助的な照明として案内機能も提供できる。
【００１７】
図１の蓄光織物部分１０を参照されたい。この蓄光織物部分１０は、多くの蓄光繊維１２を平織、ニッティング、斜文織、機織等の方式で織り込んで構成される。蓄光織物部分１０は複数のひだ部１４を有した設計でもよく、これらのひだ部１４も蓄光繊維１２から成り、ひだ部１４を利用した設計は装飾物品を美化するだけでなく、集光効果および蓄光機能を高められる。
蓄光織物部分１２上にはさらに花柄模様１６を選択的に設計できる。ひだ部１４の密集度が高いほど集光効果と蓄光機能は当然それに応じて高くなる。
図２を同時に参照されたい。図１と図２を比較してわかるように、図２の蓄光織物部分１０’が有するひだ部１４’は、図１の蓄光織物部分１０のひだ部１４よりひだが大きいため、単位面積当たりでは蓄光織物部分１０’の方がより多くの蓄光繊維１２’を含有する。したがって、より多くの光を吸収して蓄えることができ、周囲の環境が薄暗くなった時または真っ暗になった時、蓄光織物部分１０’はより多くのエネルギーを放出して発光し、装飾物品の発光量が増加し、発光時間が延長される。
【００１８】
また、上述の例で使用される蓄光繊維は、暖色系蓄光繊維、寒色系蓄光繊維または両者の任意の混合でもよい。
暖色系蓄光繊維の材料は暖色系蓄光粉を含有し、暖色系蓄光粉は、二重アミド結合の立体構造を有する有機化合物を利用したものであり、極めて低温の環境下ではレアアースを含有する蓄光原料と高速で衝突し、その衝突表面が瞬間的に高温になり、二重アミド結合の立体構造を有する有機化合物は蓄光原料表面にスパッタリングされ、極めて低温の環境の影響で瞬間冷却され、暖色系蓄光粉が得られる。
この暖色系蓄光粉はさらに高温混合過程で熱可塑性高分子の架橋構造とキレートが行われ、均一分散の効果が得られるとともに、紡糸過程により暖色系蓄光繊維が製造される。
寒色系蓄光繊維は、極めて低温の環境下で無機金属酸化物がレアアースを含有する蓄光原料と高速で衝突し、無機金属酸化物が蓄光原料の表面で融合反応を起こし、格子構造が変化して光子の移動現象が発生することで、寒色系蓄光粉が得られる。
この寒色系蓄光粉はさらに高温混合過程で熱可塑性高分子の架橋構造とのキレートが行われ、均一分散の効果が得られるとともに、紡糸過程により寒色系蓄光繊維が製造される。
【００１９】
本考案の装飾物品は多くの異なる製品に応用されるので、ここでは数例のみではあるが、具体的実施例を挙げて本考案の技術特徴を説明する。
【００２０】
図３は本考案の実施例のスリッパを示す図である。図が示すように、スリッパ２０は物品本体２２を含み、物品本体２２の表面の一部には帯状の蓄光織物部分２４を設ける。この蓄光織物部分２４は装飾効果を有するだけでなく、暗闇で緩慢に冷光を発し、案内灯として使用でき、使用者は容易にスリッパ２０を見つけることができ、暗闇を手探りしなくて済む。
【００２１】
図４は本考案の実施例の取っ手カバーを示す図である。図が示すように、取っ手カバー３０は物品本体３２を含み、物品本体３２の周囲の一部には環状の蓄光織物部分３４を設ける。
この蓄光織物部分３４は取っ手を装飾する効果を有するだけでなく、暗闇で緩慢に冷光を発し、案内灯として使用できる。これによって、使用者は暗闇で容易に取っ手の位置を見つけることができ、環境保護のニーズにあった装飾物品を提供できる。蓄光織物部分３４は、図４で示すように物品本体３２表面に部分的に配置することもできるほか、取っ手カバー上に直接設計して使用することもできる。この場合、取っ手カバー全体が蓄光織物部分により構成されるので、さらに目立つ案内または表示機能を提供できる。
【００２２】
図５は本考案の実施例の照明カバーを示す図である。図が示すように、照明カバー４０はテーブルライトスタンド４２上に装着されるものである。この照明カバー４０は物品本体４４を含み、物品本体４４表面の上部と下部の辺縁には帯状の蓄光織物部分４６を設ける。
この蓄光織物部分４６は装飾効果を有するだけでなく、暗闇で緩慢に冷光を発し、常夜灯の役割を果たし、物が見える範囲の明かりや案内灯としての用途を提供し、使用者がテーブルライトスタンド４２の位置を容易に見つけることができ、暗闇を手探りしなくて済む。蓄光織物部分４６は、図５の物品本体４４表面を部分的に覆うことができる以外に、物品本体表面全体を選択的に覆うことも可能である。
【００２３】
図６は本考案の別の実施例の照明カバーを示す図である。図が示すようにこの実施例では、照明カバー５０は異なる柄と織り方の２種類の蓄光織物部分５２、５４により構成され、照明カバー５０全体は蓄光織物部分５２、５４中の蓄光繊維により集光および蓄光を同時に行うことができる。照明カバー５０は夜間または暗闇でエネルギーを放出して冷光を発し、発光面積が大きいので、常夜灯として使用でき、いかなる電力も必要とせず、環境保護にもなる。
【００２４】
また、本考案の装飾物品はクッションでもよい。図７は本考案の実施例のクッションを示す図である。図が示すように、クッション６０は物品本体６２を含み、物品本体６２の周囲には蓄光織物部分６４を一周環設する。
この蓄光織物部分６４は装飾効果を有するだけでなく、暗闇で緩慢に冷光を発し、相当目立つ案内機能または表示機能を提供し、使用者は暗闇で容易にクッション６０の位置を知ることができる。
【００２５】
上述の実施例は本考案の技術思想と特徴を説明したものに過ぎず、その目的は当該分野の技術を熟知する者が本考案の内容を理解し実施できるようにするためのものであり、本考案の実用新案登録請求の範囲を限定するものではない。したがって、本考案で開示された精神に基づき加えられた各種の変更や潤色はすべて、本考案の実用新案登録請求の範囲内に含まれる。
【符号の説明】
【００２６】
１０、１０’  蓄光織物部分
１２、１２’  蓄光繊維
１４、１４’  ひだ部
１６  花柄模様  
２０  スリッパ
２２  物品本体
２４  蓄光織物部分
３０  取っ手カバー
３２  物品本体
３４  蓄光織物部分
４０  照明カバー
４２  テーブルライトスタンド
４４  物品本体  
４６  蓄光織物部分
５０  照明カバー  
５２  蓄光織物部分
５４  蓄光織物部分
６０  クッション
６２  物品本体
６４  蓄光織物部分
【図１】
0003187527.tif 000003
【図２】
0003187527.tif 000004
【図３】
0003187527.tif 000005
【図４】
0003187527.tif 000006
【図５】
0003187527.tif 000007
【図６】
0003187527.tif 000008
【図７】
0003187527.tif 000009
【手続補正書】
【提出日】平成25年9月30日(2013.9.30)
【手続補正１】
【補正対象書類名】実用新案登録請求の範囲
【補正対象項目名】全文
【補正方法】変更
【補正の内容】
【実用新案登録請求の範囲】
【請求項１】
複数の蓄光繊維から成る蓄光織物部分を少なくとも１つ表面に配置した物品本体を含み、前記蓄光繊維により蓄光ならびに発光することを特徴とする、
装飾物品。
【請求項２】
前記装飾物品は照明カバー、カーテン、スリッパ、取っ手カバー、クッション、電話カバー、カーペット、スイッチカバーまたは装飾品であることを特徴とする、請求項１に記載の装飾物品。
【請求項３】
前記蓄光織物部分は複数のひだ部を有し、前記ひだ部は前記蓄光繊維から成ることを特徴とする、請求項１に記載の装飾物品。
【請求項４】
前記蓄光織物部分は前記物品本体の表面を部分的または全体的に覆うことができることを特徴とする、請求項１または請求項３に記載の装飾物品。
【請求項５】
前記蓄光繊維は暖色系蓄光繊維または寒色系蓄光繊維の中から少なくとも１つを選べることを特徴とする、請求項１に記載の装飾物品。
【請求項６】
複数の蓄光繊維から成る蓄光織物部分からなり、前記蓄光繊維により蓄光ならびに発光することを特徴とする、
装飾物品。
【請求項７】
前記装飾物品が、照明カバー、カーテン、スリッパ、取っ手カバー、クッション、電話カバー、カーペット、スイッチカバーまたは装飾品であることを特徴とする、請求項６に記載の装飾物品。
【請求項８】
前記蓄光織物部分は複数のひだ部を有し、前記ひだ部は前記蓄光繊維から成ることを特徴とする、請求項６に記載の装飾物品。
【請求項９】
前記蓄光繊維は暖色系蓄光繊維または寒色系蓄光繊維の中から少なくとも１つを選べることを特徴とする、請求項６に記載の装飾物品。